(57)【要約】【課題】  車両の付着物の建屋内への進入を抑制する。【解決手段】  機械式駐車装置１は、建屋２内に備えた入庫部３と、建屋２の壁面２ａに入庫部３に連通して設けられた入庫口４とを備える。入庫口４の扉５の扉枠８には付着物除去装置９を備える。付着物除去装置９は、扉枠８の上枠部８ａに設けられた上部噴射ノズル１０と、左枠部および右枠部８ｃに設けられた側部噴射ノズル１１とを備える。入庫口４よりも車両進入方向Ｘの上流側には、車両７の検出手段１３を備える。入庫口４に進入する車両７が検出手段１３で検出されると、上部噴射ノズル１０と側部噴射ノズル１１から空気１２を噴射し、車両７の車体表面に、車両進入方向Ｘの上流側に向く方向の流れ成分を含む空気１２の流れを当てることで、車両７の付着物１６を車両進入方向Ｘの上流側へ移動させて除去する。【選択図】図１
2018141335.tif 000002
【特許請求の範囲】
【請求項１】
建屋と、前記建屋の内部に設けられた入庫部と、前記入庫部に連通して設けられた入庫口と、を備えた機械式駐車装置であって、
前記入庫口、または、前記入庫口に対する車両進入方向の上流側に配置された付着物除去装置を備え、
前記付着物除去装置は、前記入庫口に進入する車両に対して、前記車両進入方向の上流側に向く方向の成分を含む空気の流れを当てる機能を備えること
を特徴とする機械式駐車装置。
【請求項２】
前記付着物除去装置は、
前記入庫口の扉の扉枠の上枠部、または、前記上枠部の前記車両進入方向の上流側に配置された上部フレームに設けられた上部噴射ノズルと、
前記扉枠の左枠部と右枠部、または、前記左枠部および右枠部の前記車両進入方向の上流側に配置された左右の側部フレームに設けられた側部噴射ノズルとを備え、
前記上部噴射ノズルは、前記空気の噴射方向が前記車両進入方向の上流側に傾いた斜め下向きとなる姿勢とされ、
前記側部噴射ノズルは、前記空気の噴射方向が前記入庫口の左右方向の中央側で且つ前記車両進入方向の上流側に傾いた斜め下向きとなる姿勢とされた
請求項１記載の機械式駐車装置。
【請求項３】
前記上部噴射ノズルは、前記入庫口の左右方向の中央よりも左側の領域に、左方向の流れ成分を含む空気の流れを形成し、前記入庫口の左右方向の中央よりも右側の領域に、右方向の流れ成分を含む空気の流れを形成する機能を備えた
請求項１または２記載の機械式駐車装置。
【請求項４】
前記各噴射ノズルよりも前記車両進入方向の上流側の位置に配置された前記車両の検出手段と、
前記各噴射ノズルに対して空気を供給する空気供給手段と、
前記検出手段の信号を基に、前記各噴射ノズルからの前記空気の噴射の開始と停止を制御する制御器とを備えた
請求項１から請求項３のいずれか一項に記載の機械式駐車装置。
【発明の詳細な説明】
【技術分野】
【０００１】
本発明は、建屋内に入庫部を備える形式の機械式駐車装置に関するものである。
【背景技術】
【０００２】
機械式駐車装置は、建屋の内部に、車両を入庫する入庫部を備え、建屋の壁面には入庫部に連通する入庫口が設けられている形式のものがある。入庫口は、開閉式の扉が設けられていることが多い。
【０００３】
なお、機械式駐車装置では、建屋の形式や、建屋内部における車両の搬送方式、格納方式などに応じて、入庫口を備える入庫部と、出庫口を備える出庫部とが別々に備えられる構成の場合のほかに、入庫部が出庫部と共用の入出庫部とされる構成や、入庫口が出庫口と共用の入出庫口とされる構成の場合もある。
【０００４】
ところで、降雨にあった車両には、水（雨水）が付着している。更に、車両には、泥が付着していることがある。また、降雪にあった車両には、雪や、雪が溶けて生じた水が付着している。更に、落葉の季節には、車両に落ち葉が付着していることがある。落ち葉は、雨水などに由来する水分があると、車両に張り付くようにして付着していることもある。
【０００５】
従来の機械式駐車装置では、入庫する車両に前記水や泥、落ち葉などの付着物が付着した状態であっても、車両をそのまま入庫部に進入させるようにしている。そのため、機械式駐車装置の建屋内には、前記付着物が、入庫する車両に同伴されて進入している。
【０００６】
また、雪が付着している車両の入庫を行う場合は、利用者が入庫前に車両からできるだけ雪を落とす作業を行うことが求められる。しかし、たとえば利用者による手作業で落としきれなかった分の雪は、車両の付着物として、入庫する車両に同伴されて機械式駐車装置の建屋内に進入している。
【０００７】
なお、駐車装置へ車両が入庫する前に車体上の積雪を排除するための装置としては、積雪排除装置が従来提案されている（たとえば、特許文献１参照）。
【０００８】
これは、振動可能に支持された自動車載置パレットと、該自動車載置パレットに振動を与える加振器とを備えた構成とされている。更に、パレットが複数分割された構成や、自動車載置パレットを傾斜させることも提案されている。
【０００９】
かかる積雪排除装置によれば、車両が載った状態で自動車載置パレットを振動させることにより、この振動が車両に伝達されて車体上の積雪が振動により落下するとされている。
【先行技術文献】
【特許文献】
【００１０】
【特許文献１】特開昭６１−１６９３５８号公報
【発明の概要】
【発明が解決しようとする課題】
【００１１】
ところが、特許文献１に示された車両に振動を加える手法は、振動によって生じる慣性力が、車両への付着力に比して大きく働くような塊となっている積雪については排除が可能であるとしても、表面張力によって車両に付着している水や、泥、塊とならずに付着している雪は、車両から離脱させることは難しい。
【００１２】
更に、雨水の水分などを介して車両に張り付いた状態となっているような落ち葉も、車体を振動させるのみでは車体から剥がして落とすことは難しい。
【００１３】
ところで、車両に同伴されて機械式駐車装置の建屋内に進入した水や泥、雪、落ち葉などの付着物の量が多くなる場合は、付着物に含まれる水分の影響で機械式駐車装置の電装系に不具合が生じる可能性が増す。
【００１４】
更に、車両の付着物として機械式駐車装置の建屋内に進入した泥や落ち葉は、乾燥に伴って車両から脱離することがある。そのため、車両に同伴されて機械式駐車装置の建屋内に進入する付着物の量が多くなることは、機械式駐車装置の建屋内に設けられているセンサに、車両から脱離した泥や落ち葉などによる汚れが付きやすくなることにつながる。
【００１５】
そのため、従来の機械式駐車装置では、電装系の不具合やセンサの汚れに対する対策として、メンテナンスの頻度が高く、メンテナンスに要する作業時間が嵩んでいるというのが実情である。
【００１６】
また、車両に同伴されて機械式駐車装置の建屋内に進入する付着物の量が多くなる場合は、入庫部を清潔な状況に保つための清掃の回数が多くなる。
【００１７】
したがって、機械式駐車装置では、前記のようなメンテナンスや清掃に要する手間や時間の低減化を図るためには、車両に付着した付着物の建屋内への進入を抑制することが望まれる。
【００１８】
そこで、本発明は、車両の付着物の建屋内への進入を抑制することができる機械式駐車装置を提供しようとするものである。
【課題を解決するための手段】
【００１９】
本発明は、前記課題を解決するために、建屋と、前記建屋の内部に設けられた入庫部と、前記入庫部に連通して設けられた入庫口と、を備えた機械式駐車装置であって、前記入庫口、または、前記入庫口に対する車両進入方向の上流側に配置された付着物除去装置を備え、前記付着物除去装置は、前記入庫口に進入する車両に対して、前記車両進入方向の上流側に向く方向の成分を含む空気の流れを当てる機能を備える構成を有する機械式駐車装置とする。
【００２０】
前記付着物除去装置は、前記入庫口の扉の扉枠の上枠部、または、前記上枠部の前記車両進入方向の上流側に配置された上部フレームに設けられた上部噴射ノズルと、前記扉枠の左枠部と右枠部、または、前記左枠部および右枠部の前記車両進入方向の上流側に配置された左右の側部フレームに設けられた側部噴射ノズルとを備え、前記上部噴射ノズルは、前記空気の噴射方向が前記車両進入方向の上流側に傾いた斜め下向きとなる姿勢とされ、前記側部噴射ノズルは、前記空気の噴射方向が前記入庫口の左右方向の中央側で且つ前記車両進入方向の上流側に傾いた斜め下向きとなる姿勢とされた構成としてある。
【００２１】
前記上部噴射ノズルは、前記入庫口の左右方向の中央よりも左側の領域に、左方向の流れ成分を含む空気の流れを形成し、前記入庫口の左右方向の中央よりも右側の領域に、右方向の流れ成分を含む空気の流れを形成する機能を備えた構成としてある。
【００２２】
前記各噴射ノズルよりも前記車両進入方向の上流側の位置に配置された前記車両の検出手段と、前記各噴射ノズルに対して空気を供給する空気供給手段と、前記検出手段の信号を基に、前記各噴射ノズルからの前記空気の噴射の開始と停止を制御する制御器とを備えた構成としてある。
【発明の効果】
【００２３】
本発明の機械式駐車装置によれば、車両の付着物の建屋内への進入を抑制することができる。
【図面の簡単な説明】
【００２４】
【図１】機械式駐車装置の第１実施形態を示すもので、要部の概略切断側面図である。
【図２】図１のＡ−Ａ方向矢視図である。
【図３】図２のＢ−Ｂ方向矢視により上部の空気噴射ノズルの配置と姿勢を示す概略図である。
【図４】上部の空気噴射ノズルの配置と姿勢の別の例を示す概略図である。
【図５】上部の空気噴射ノズルの配置と姿勢の更に別の例を示す概略図である。
【図６】空気噴射ノズルへ空気を供給する系と、空気噴射の制御系を示す概略図である。
【図７】機械式駐車装置の第２実施形態を示す概略図である。
【発明を実施するための形態】
【００２５】
以下、本発明の実施形態を図面を参照して説明する。
【００２６】
［第１実施形態］
図１は、機械式駐車装置の第１実施形態を示すもので、建屋における入庫口の付近の概略切断側面図である。図２は、図１のＡ−Ａ方向矢視図である。図３は、図２のＢ−Ｂ方向矢視により、上部の空気噴射ノズルの配置と姿勢の例を示す図である。図４は、上部の空気噴射ノズルの配置と姿勢の別の例を示すもので、図４（ａ）は図３に対応する図、図４（ｂ）は図４（ａ）のＣ−Ｃ方向矢視図である。図５は、上部の空気噴射ノズルの配置と姿勢の更に別の例を示すもので、図５（ａ）は図３に対応する図、図５（ｂ）は図５（ａ）のＤ−Ｄ方向矢視図である。図６は、空気噴射ノズルへ空気を供給する系と、空気噴射の制御系を示す概略図である。
【００２７】
本実施形態の機械式駐車装置は、図１、図２に符号１で示すもので、建屋２と、建屋２の内部に設けられた入庫部３と、建屋２の壁面２ａに入庫部３に連通するように設けられた入庫口４とを備えた構成とされている。
【００２８】
入庫口４には、開閉式の扉５が設けられている。図１、図２は、いずれも扉５が解放された状態を示している。なお、扉５は、図１、図２では、平板状の部材が昇降動作する形式のものを例示したが、入庫口４を開閉する機能を備えていれば、扉５は、平板状の部材が横方向に移動する形式のものや、シャッター形式のものなど、図示した以外の任意の形式のものであってもよいことは勿論である。
【００２９】
建屋２の壁面２ａにおける入庫口４の付近には、利用者（図示せず）が入庫操作を行うための操作盤６が設けられている。
【００３０】
なお、建屋２の形式や、建屋２内部における車両７の搬送方式、格納方式などに応じて、入庫口４を備える入庫部３は、出庫口を備える出庫部とは別に備えられていてもよいし、あるいは、入庫部３は出庫部と共用の入出庫部とされ、入庫口４は出庫口と共用の入出庫口とされていてもよい。
【００３１】
ここで、説明の便宜上、建屋２の外側における入庫口４に対面する位置から入庫口４を見た状態での左手側を、本実施形態の機械式駐車装置１における左方向といい、その逆方向となる右手側を、本実施形態の機械式駐車装置１における右方向という。
【００３２】
また、入庫時に車両７が建屋２の外部で入庫口４に対面する位置から、入庫口４に向けて移動するときの図１、図２に矢印で示す方向は、以下、車両進入方向Ｘという。
【００３３】
本実施形態の機械式駐車装置１は、更に、図１、図２、図３に示すように、付着物除去装置９を備えている。
【００３４】
本実施形態における付着物除去装置９は、入庫口４の扉５の扉枠８に設けられた空気１２の噴射ノズル１０，１１と、図１、図２に示すように噴射ノズル１０，１１よりも車両進入方向Ｘの上流側の位置に配置された車両７の検出手段１３と、図６に示すように、各噴射ノズル１０，１１に対して空気１２を供給する空気供給手段１４と、検出手段１３の信号を基に、各噴射ノズル１０，１１からの空気１２の噴射の開始と停止を制御する制御器１５とを備えた構成とされている。
【００３５】
扉枠８は、たとえば、図１、図２、図３に示すように、入庫口４の上端側に配置された左右方向に延びる上枠部８ａと、入庫口４の左端側に配置された上下方向に延びる左枠部８ｂと、入庫口４の右端側に配置された上下方向に延びる右枠部８ｃとからなる三方枠とされている。
【００３６】
上枠部８ａには、左右方向の複数個所に、上部噴射ノズル１０が設けられている。
【００３７】
各上部噴射ノズル１０は、図１に示すように、空気１２の噴射方向が鉛直方向下向きから車両進入方向Ｘの上流側に傾斜した斜め下向きとなる姿勢で、上枠部８ａの下面に設けられている。
【００３８】
これにより、付着物除去装置９は、各上部噴射ノズル１０から噴射する空気１２により、上枠部８ａの下方に、車両進入方向Ｘの上流側に傾いた斜め下向きの空気１２の流れを形成することができる。
【００３９】
なお、１つの上部噴射ノズル１０から噴射された空気１２の流れは、進行するにしたがって次第に拡散する。この点に鑑みて、付着物除去装置９では、本実施形態の機械式駐車装置１で受け入れ可能な車両７の車高の上限値に対応する高さ位置で、隣接する上部噴射ノズル１０から噴射された空気１２の流れの拡散した領域同士が接するか、あるいは部分的に重なるように、各上部噴射ノズル１０の左右方向の間隔が設定されている。
【００４０】
したがって、付着物除去装置９では、各上部噴射ノズル１０から空気１２を噴射した状態のときに、車両７が車両進入方向Ｘの上流側から上枠部８ａの下方へ進入すると、その車両７のボンネットやルーフなどの上向きや斜め上向きの車体表面に対して、各上部噴射ノズル１０から噴射した空気１２の流れを当てることができる。これにより、車両７の上向きや斜め上向きの車体表面に沿う位置には、車両進入方向Ｘの上流側に向く方向の流れ成分を含む空気１２の流れを形成することができる。よって、付着物除去装置９は、車両７の上向きや斜め上向きの車体表面に付着している付着物１６を、上部噴射ノズル１０から噴射する空気１２の流れにより、車体表面に沿わせて車両進入方向Ｘの上流側へ向けて移動させるか、あるいは、車体表面から離脱させて車両進入方向Ｘの上流側へ吹き飛ばすことができる。なお、付着物１６は、上部噴射ノズル１０から噴射する空気１２の流れによって車体表面に沿い車両進入方向Ｘの上流側へ向けて移動させられる場合であっても、車両７の後端側が上枠部８ａの下方へ進入するときには、車両７の後端側から離脱させられて、車両進入方向Ｘの上流側へ吹き飛ばされるか、あるいは落下させられる。
【００４１】
更に、付着物除去装置９は、上枠部８ａに備える複数の上部噴射ノズル１０について、図４（ａ）（ｂ）や図５（ａ）（ｂ）に示すように、入庫口４の左右方向の中央よりも左側に、車両進入方向Ｘの上流側となる方向から左方向に傾いた斜め下向きの空気１２の流れを形成する上部噴射ノズル１０Ｌを備え、入庫口４の左右方向の中央よりも右側に、車両進入方向Ｘの上流側となる方向から右方向に傾いた斜め下向きの空気１２の流れを形成する上部噴射ノズル１０Ｒを備える構成としてもよい。
【００４２】
この場合、左方向の傾きを備えた上部噴射ノズル１０Ｌ、および、右方向の傾きを備えた上部噴射ノズル１０Ｒは、たとえば、図４（ａ）（ｂ）に示すように、左右方向の傾きのない上部噴射ノズル１０と交互配置で設ける構成としてもよいし、図５（ａ）（ｂ）に示すように、入庫口４の左右方向の中央よりも左側と右側にそれぞれ集めて配置するようにしてもよい。
【００４３】
図４（ａ）（ｂ）や図５（ａ）（ｂ）の構成によれば、車両進入方向Ｘの上流側から上枠部８ａの下方へ進入する車両７の上向きや斜め上向きの車体表面に対して、入庫口４の左右方向の中央よりも左側の領域には、左方向の流れ成分を含む空気１２の流れを当てることができ、入庫口４の左右方向の中央よりも右側の領域には、右方向の流れ成分を含む空気１２の流れを当てることができる。このため、付着物除去装置９は、車両７の上向きや斜め上向きの車体表面に付着している付着物１６を、車両進入方向Ｘの上流側で且つ車両７の左側または右側となる方向へ移動させることができる。
【００４４】
たとえば、車両７のボンネットやルーフのような車両進入方向Ｘに延びる上向きの面に付着物１６として雪が付着している場合は、上部噴射ノズル１０から噴射する空気１２の流れによって車両進入方向Ｘの上流側にのみ移動させると、移動する雪が移動先に存在している雪に付着して次第に溜まるため、車両進入方向Ｘの上流側への更なる移動が行い難くなる可能性がある。
【００４５】
これに対し、図４（ａ）（ｂ）や図５（ａ）（ｂ）の構成を採用した付着物除去装置９によれば、車両７の車両進入方向Ｘに延びる上向きの面に付着物１６としての雪が付着している場合、車両７の左右いずれかの方向へ移動を促すことができるため、車両７の側方へ比較的速やかに落下させることができる。したがって、付着物除去装置９は、図４（ａ）（ｂ）や図５（ａ）（ｂ）のような構成を採用することにより、車両７の上向きや斜め上向きの車体表面に付着する付着物１６の除去の効率をより向上させることができる。
【００４６】
なお、入庫口４の左右方向の中央よりも左側の領域に、左方向の流れ成分を含む空気１２の流れを形成し、入庫口４の左右方向の中央よりも右側の領域に、右方向の流れ成分を含む空気１２の流れを形成できれば、上部噴射ノズル１０，１０Ｌ，１０Ｒの数、配列順序、配置間隔は、実際の入庫口４の寸法に応じて、図示した以外の数、配列順序、配置間隔に適宜変更してよいことは勿論である。
【００４７】
また、付着物除去装置９は、入庫口４の左右方向の中央に、上部噴射ノズル１０Ｌによる左方向の流れ成分を含む空気１２の流れか、または、上部噴射ノズル１０Ｒによる右方向の流れ成分を含む空気１２の流れを形成する構成とする場合には、左右方向の傾きのない上部噴射ノズル１０を省略する構成としてもよい。
【００４８】
扉枠８の左枠部８ｂと右枠部８ｃには、図１、図２に示すように、上下方向の複数個所に、側部噴射ノズル１１が設けられている。
【００４９】
各側部噴射ノズル１１は、空気１２の噴射方向が、入庫口４の左右方向の中央側で、且つ鉛直方向下向きから車両進入方向Ｘの上流側に傾斜した斜め下向きとなる姿勢で、左枠部８ｂの右側面と、右枠部８ｃの左側面に設けられている。
【００５０】
これにより、付着物除去装置９は、左枠部８ｂの各側部噴射ノズル１１から噴射する空気１２により、左枠部８ｂの右側に、入庫口４の中央側で、且つ車両進入方向Ｘの上流側に傾いた斜め下向きの空気１２の流れを形成することができる。右枠部８ｃの各側部噴射ノズル１１から噴射する空気１２では、右枠部８ｃの左側に、入庫口４の中央側で、且つ車両進入方向Ｘの上流側に傾いた斜め下向きの空気１２の流れを形成することができる。
【００５１】
なお、付着物除去装置９では、本実施形態の機械式駐車装置１で受け入れ可能な車両７の車幅の上限値の１／２の寸法分、入庫口の左右方向の中央から左側となる位置と、右側となる位置で、隣接する側部噴射ノズル１１から噴射された空気１２の流れの拡散した領域同士が接するか、あるいは部分的に重なるように、各側部噴射ノズル１１の上下方向の間隔が設定されている。
【００５２】
したがって、付着物除去装置９では、各側部噴射ノズル１１から空気１２を噴射した状態のときに、車両７が車両進入方向Ｘの上流側から左枠部８ｂと右枠部８ｃの間に進入すると、その車両７の左向きや斜め左向きの車体表面と、右向きや斜め右向きの車体表面に対して、各側部噴射ノズル１１から噴射した空気１２の流れを当てることができる。これにより、車両７の左右の側面に沿う位置には、車両進入方向Ｘの上流側に向く方向の流れ成分を含む空気１２の流れを形成することができる。よって、付着物除去装置９は、車両７の側部に付着している付着物１６を、側部噴射ノズル１１から噴射する空気１２の流れにより、車体表面に沿わせて車両進入方向Ｘの上流側へ向けて移動させるか、あるいは、車体表面から離脱させて車両進入方向Ｘの上流側へ吹き飛ばすことができる。なお、付着物１６は、側部噴射ノズル１１から噴射する空気１２の流れによって車体表面に沿い車両進入方向Ｘの上流側へ向けて移動させられる場合であっても、車両７の後端側が左枠部８ｂと右枠部８ｃの間に進入するときには、車両７の後端側から離脱させられて、車両進入方向Ｘの上流側へ吹き飛ばされるか、あるいは落下させられる。
【００５３】
空気供給手段１４は、たとえば、図６に示すように、各上部噴射ノズル１０が接続されたヘッダ１７と、左枠部８ｂの各側部噴射ノズル１１が接続されたヘッダ１８と、右枠部８ｃの各側部噴射ノズル１１が接続されたヘッダ１９と、空気供給部としてのコンプレッサ２０と、コンプレッサ２０から各ヘッダ１７，１８，１９へ個別に空気１２を供給する供給ライン２１，２２，２３とを備えた構成とされている。
【００５４】
更に、空気供給手段１４は、各供給ライン２１，２２，２３に、開閉を制御する制御弁２４，２５，２６を備えた構成とされている。各制御弁２４，２５，２６は、通常時は、各制御弁２４，２５，２６が閉状態とされ、制御器１５の後述する制御則に従って開閉が制御される。
【００５５】
空気供給手段１４は、各制御弁２４，２５，２６が閉状態のときには、各噴射ノズル１０，１１からの空気１２の噴射は停止された状態となる。
【００５６】
一方、空気供給手段１４は、制御弁２４，２５，２６が開状態になると、コンプレッサ２０から供給される空気１２を、各ヘッダ１７，１８，１９に供給することができる。よって、ヘッダ１７に供給された空気１２は、ヘッダ１７から各上部噴射ノズル１０へ分散供給することができて、各上部噴射ノズル１０から噴射させることができる。同様に、ヘッダ１８に供給された空気１２は、ヘッダ１８から左枠部８ｂの各側部噴射ノズル１１へ分散供給することができて、該各側部噴射ノズル１１から噴射させることができる。また、ヘッダ１９に供給された空気１２は、ヘッダ１９から右枠部８ｃの各側部噴射ノズル１１へ分散供給することができて、該各側部噴射ノズル１１から噴射させることができる。
【００５７】
検出手段１３は、入庫のために建屋２の外部から車両進入方向Ｘに沿って入庫口４へ向けて移動する車両７を、各噴射ノズル１０，１１よりも車両進入方向Ｘの上流側の位置で検出する機能を備えている。
【００５８】
本実施形態では、検出手段１３は、たとえば、図１、図２に示すように、入庫口４よりも設定された寸法で車両進入方向Ｘの上流側となる位置に、入庫口４の左端と右端に対応する配置、あるいは、入庫口４の左右幅寸法よりも広い間隔となる配置で設置された左右一対の支柱部材２７を備え、各支柱部材２７に、透過型の光電センサ２８の投光部と受光部とを対向する配置で取り付けた構成とされている。
【００５９】
これにより、検出手段１３では、光電センサ２８の投光部と受光部との間に車両７が進入して、受光部で受光する光量の低下の変化を基に、外部から入庫口４へ接近する車両７の検出を行うことができる。
【００６０】
なお、図示しないが、検出手段１３は、回帰反射型の光電センサを備える構成としてもよい。この場合は、各支柱部材２７には、回帰反射型の光電センサと、図示しない反射部材とを対向する配置で取り付けた構成とすればよい。
【００６１】
また、検出手段１３は、外部から入庫口４へ接近する車両７を、各噴射ノズル１０，１１よりも車両進入方向Ｘの上流側の位置で検出することができれば、拡散反射型の光電センサを用いた構成としてもよく、また、光電センサ以外の任意の検出方式のセンサを用いてもよいことは勿論である。
【００６２】
制御器１５は、図６に示すように、検出手段１３の光電センサ２８からの車両７の検出信号２９を受け取るようにしてある。また、制御器１５は、制御弁２４と制御弁２５と制御弁２６に、開指令３０ａ，３１ａ，３２ａと閉指令３０ｂ，３１ｂ，３２ｂを個別に与える機能を備えている。
【００６３】
更に、制御器１５は、操作盤６で入庫の操作が行われると、その入庫操作が行われたという信号３３を、操作盤６から受け取る機能を備えている。
【００６４】
なお、本実施形態の機械式駐車装置１は、操作盤６における入庫操作に伴い開始される入庫の処理として、既存の機械式駐車装置と同様の入庫処理を行う機能を備えている。すなわち、本実施形態の機械式駐車装置１は、操作盤６で入庫操作が行われると、入庫部３を入庫可能な状態としてから、入庫口４の扉５を開く。この状態で、本実施形態の機械式駐車装置１では、利用者が、車両７を入庫口４から入庫部３へ乗り入れて入庫可能範囲に止めることができる。その後、利用者が建屋２の外部へ退出して操作盤６にて扉５を閉める操作を行うと、本実施形態の機械式駐車装置１は、入庫口４の扉５を閉じた後、入庫部３から格納棚のような格納場所への車両７の搬送を行うものとしてある。
【００６５】
また、本実施形態の機械式駐車装置１は、既存の機械式駐車装置と同様の出庫処理を行う機能を備えている。
【００６６】
制御器１５の制御則は、以下のように設定されている。なお、以下においては、制御器１５の制御則の説明と共に、本実施形態の機械式駐車装置１の作用も併せて説明する。
【００６７】
制御器１５は、操作盤６から入庫操作に関する信号３３を受け取り、更に、検出手段１３の光電センサ２８からの検出信号２９を受け取ると、各制御弁２４，２５，２６に、開指令３０ａ，３１ａ，３２ａを与える機能を備えている。
【００６８】
これにより、本実施形態の機械式駐車装置１では、操作盤６での入庫操作に伴い、入庫口４の扉５が開かれた状態で、入庫口４に進入しようとする車両７が検出手段１３で検出された時点で、付着物除去装置９の各噴射ノズル１０，１１からの空気１２の噴射を開始することができる。
【００６９】
なお、前記のように車両７が検出手段１３で検出された時点では、車両７は、各噴射ノズル１０，１１が設置されている入庫口４にはまだ到達していない。そのため、入庫口４に車両７が進入するときには、付着物除去装置９の各噴射ノズル１０，１１から噴射する空気１２の流れを車両７に当てる処理を、車両７の前端側から開始することができる。
【００７０】
また、制御器１５は、各制御弁２４，２５，２６に開指令３０ａ，３１ａ，３２ａを与えた後、検出手段１３の光電センサ２８からの車両７の検出信号２９の消失を検知すると、設定された遅れ時間の後、各制御弁２４，２５，２６に、閉指令３０ｂ，３１ｂ，３２ｂを与える機能を備えている。
【００７１】
検出手段１３の車両７の検出信号２９の消失は、車両７の後端側が検出手段１３の設置位置を通過することで生じる。よって、前記遅れ時間は、入庫口４に車両７が進入するときの一般的な速度の情報を基に、その速度で、検出手段１３の設置位置から入庫口４における各噴射ノズル１０，１１が設置された位置までの距離を割ることで算出される時間に、余裕分となる時間を付加して設定すればよい。
【００７２】
これにより、付着物除去装置９では、各噴射ノズル１０，１１からの空気１２の噴射は、車両７の後端側が各噴射ノズル１０，１１の設置位置を通過した後に停止することになる。
【００７３】
あるいは、制御器１５は、検出手段１３の光電センサ２８からの検出信号２９の消失に代えて、入庫部３における入庫可能範囲に車両７が止められたことが図示しない検出手段で検出されると、その信号に基づいて、各制御弁２４，２５，２６に、閉指令３０ｂ，３１ｂ，３２ｂを与える機能を備えるようにしてもよい。更に、制御器１５は、車両７の後端側が各噴射ノズル１０，１１の設置位置を通過したことを検出可能な別の検出手段があれば、その検出手段の信号を基に各制御弁２４，２５，２６に、閉指令３０ｂ，３１ｂ，３２ｂを与える機能を備えるものとしてもよい。
【００７４】
したがって、本実施形態の機械式駐車装置１では、入庫のために車両７が外部から入庫口４に進入するときに、車両７の前端側から後端側までの全長に対して、付着物除去装置９の各噴射ノズル１０，１１から噴射する空気１２の流れを当てることができる。
【００７５】
このため、入庫口４に進入する車両７については、上向きや斜め上向きの車体表面、左向きや斜め左向きの車体表面、および、右向きや斜め右向きの車体表面に付着していた付着物１６を、各噴射ノズル１０，１１の設置位置よりも車両進入方向Ｘの上流側に吹き飛ばすか、あるいは落下させて除去することができる。
【００７６】
なお、車両７に付着していた付着物１６が雪である場合は、付着物除去装置９の各噴射ノズル１０，１１から噴射する空気１２の流れによって車両７から離脱させられた雪が、入庫口４に対して車両進入方向Ｘの上流側となる位置に次第に溜まり、車両７の移動の妨げとなる可能性がある。
【００７７】
その対策として、本実施形態の機械式駐車装置１は、図１に示すように、入庫口４に対して車両進入方向Ｘの上流側となる位置の基礎面に、ピット３４を備えた構成とすることが好ましい。ピット３４には、車両７は支持可能で、且つ付着物１６は通過可能なグレーチングなどによる蓋３５を備えた構成とすればよい。このようにすれば、車両７から離脱した雪などの付着物１６は、ピット３４に受け入れることで、車両７の移動の妨げとなることを防ぐことができる。
【００７８】
このように、本実施形態の機械式駐車装置１によれば、入庫の対象となる車両７に付着物１６が付着していた場合であっても、その付着物１６の建屋２内への進入を抑制することができる。
【００７９】
したがって、本実施形態の機械式駐車装置１は、水や泥、雪、落ち葉などの付着物１６に含まれる水分の影響で機械式駐車装置の電装系に不具合が生じる可能性の低減化を図ることができる。
【００８０】
更に、本実施形態の機械式駐車装置１は、車両７に同伴されて建屋２内に進入する付着物１６の量の低減化を図ることに伴い、乾燥によって車両７から脱離する泥や落ち葉などの汚れが建屋２内のセンサに付着することを抑制することができる。
【００８１】
そのため、本実施形態の機械式駐車装置１は、従来の機械式駐車装置に比して、メンテナンスの頻度や、メンテナンスに要する作業時間の低減化を図ることが可能になる。また、本実施形態の機械式駐車装置１は、入庫部３を清潔な状況に保つための清掃の回数の低減化も図ることが可能になる。
【００８２】
なお、本実施形態の機械式駐車装置１は、入庫する車両７に同伴される付着物１６の建屋２内への進入を抑制するためのものであって、完全に防止するものではない。そのため、各噴射ノズル１０，１０Ｌ，１０Ｒ，１１から噴射する空気１２の流れが、車両進入方向Ｘの上流側に向く流れ成分を含んだ状態で車両７に当たるようにしてあれば、車両７のどの部分にどのような強さで当たるかを厳密にコントロールする必要はない。
【００８３】
［第２実施形態］
図７は、機械式駐車装置の第２実施形態を示すもので、図６に対応する図である。
【００８４】
なお、図７において、第１実施形態に示したものと同一のものには同一符号を付して、その説明を省略する。
【００８５】
第１実施形態の構成にて、付着物除去装置９では、上部噴射ノズル１０から車両７のルーフまでの距離が、車両７の車高に応じて変化する。すなわち、入庫可能範囲内で、車両７の車高が高いほど、付着物除去装置９では、上部噴射ノズル１０から車両７のルーフまでの距離は短くなり、車両７の車高が低いほど、上部噴射ノズル１０から車両７のルーフまでの距離は長くなる。
【００８６】
そのため、付着物除去装置９では、上部噴射ノズル１０から噴射する空気１２の噴射量や噴射速度が同一の条件の下では、車両７の車高が低いほど、車両７のルーフに当たる空気１２の流れの勢いが弱くなる。
【００８７】
そこで、本実施形態では、付着物除去装置９が、上部噴射ノズル１０から噴射する空気１２の噴射量や噴射速度を、入庫する車両７の車高に応じて変化させる機能を備えるものとする。
【００８８】
この場合、付着物除去装置９は、たとえば、図６に示した付着物除去装置９と同様の構成において、ヘッダ１７に接続された供給ライン２１に、ヘッダ１７への空気１２の供給量を大小の２段階に切り替え可能な流量調整機能付きの制御弁２４ａを備えた構成とする。
【００８９】
なお、入庫する車両を、車高に応じて標準ルーフ車（普通車）と、ハイルーフ車という２車種に分類して、それぞれ対応する上下方向寸法を備えた格納場所に格納する形式の車種混載式の機械式駐車装置がある。このような車種混載式の機械式駐車装置では、通常、操作盤６で入庫操作を行うときに、入庫する車両の車高が属する車種が指定されて、入庫処理が開始される。
【００９０】
そこで、本実施形態では、制御器１５が、操作盤６から、入庫する車両の車高が属する車種の情報を含む信号３３ａを受け取るようにしてある。
【００９１】
更に、制御器１５は、信号３３ａを基に、入庫する車両７がハイルーフ車であると判断される場合には、制御弁２４ａへ、供給量が小の状態となる開指令３０ｃを与え、一方、入庫する車両７が標準ルーフ車であると判断される場合には、制御弁２４ａへ、供給量が大の状態となる開指令３０ｄを与える機能を備えるものとしてある。
【００９２】
なお、車種混載式の機械式駐車装置には、前記標準ルーフ車と、ハイルーフ車に加えて、その中間の車高となるミドルルーフ車を含めた３車種に分類して格納する形式のものもある。
【００９３】
この場合は、制御弁２４ａを、ヘッダ１７への空気１２の供給量を大中小の３段階に切り替え可能な流量調整機能付きのものを用いるようにして、制御器１５は、信号３３ａを基に、入庫する車両７がミドルルーフ車であると判断される場合には、制御弁２４ａへ、供給量が中の状態となる開指令３０ｅを与える機能を備えるようにすればよい。
【００９４】
更に、扉枠８の左枠部８ｂと右枠部８ｃに上下方向に配列されて設けられている左右の各側部噴射ノズル１１のうち、上部寄りに配置されている側部噴射ノズル１１は、入庫する車両７が標準ルーフ車の場合、空気１２の噴射方向に車両７の側面が存在しない状況になることが考えられる。
【００９５】
そこで、本実施形態では、上下方向に配列された側部噴射ノズル１１について、標準ルーフ車の車高と対応する高さ位置を基準として、基準よりも上方に配置されている側部噴射ノズル１１は上部ヘッダ１８ａ，１９ａに接続し、基準よりも下方に配置されている側部噴射ノズル１１は下部ヘッダ１８ｂ，１９ｂに接続した構成を採用する。
【００９６】
上部ヘッダ１８ａは、制御弁２５ａを備えた供給ライン２２ａを介してコンプレッサ２０に接続されている。下部ヘッダ１８ｂは、制御弁２５ｂを備えた供給ライン２２ｂを介してコンプレッサ２０に接続されている。
【００９７】
上部ヘッダ１９ａは、制御弁２６ａを備えた供給ライン２３ａを介してコンプレッサ２０に接続されている。下部ヘッダ１９ｂは、制御弁２６ｂを備えた供給ライン２３ｂを介してコンプレッサ２０に接続されている。
【００９８】
更に、制御器１５は、信号３３ａを基に、入庫する車両７がハイルーフ車であると判断される場合には、各制御弁２５ａ，２５ｂおよび各制御弁２６ａ，２６ｂへ、開指令３１ａ，３２ａを与え、一方、入庫する車両７が標準ルーフ車であると判断される場合には、制御弁２５ｂと制御弁２６ｂに、開指令３１ａ，３２ａを与える機能を備えるものとしてある。
【００９９】
なお、入庫する車両７がミドルルーフ車の場合は、ハイルーフ車と同様に処理するようにすればよい。これは、ヘッダの数を増すと、供給ラインの数も増えて構成が複雑化し、更に、制御器１５による制御も複雑になってしまうためである。
【０１００】
以上の構成としてある本実施形態の機械式駐車装置１によれば、第１実施形態と同様の構成に加えて、車種混載式の場合に、各上部噴射ノズル１０や各側部噴射ノズル１１から入庫する車両７の車高に応じた好ましい空気１２の噴射を行うことができる。
【０１０１】
なお、図示しないが、上部噴射ノズル１０は、たとえば、入庫する車両７が標準ルーフ車の場合と、入庫する車両７がハイルーフ車の場合とで、空気１２の噴射を行う上部噴射ノズル１０の数を変更する制御を行うようにしてもよく、また、空気１２の噴射を行う上部噴射ノズル１０を切り替える制御を行うようにしてもよいことは勿論である。
【０１０２】
また、本発明は、前記各実施形態のみに限定されるものではない。
【０１０３】
たとえば、前記各実施形態では、付着物除去装置９における上部噴射ノズル１０，１０Ｌ，１０Ｒと、側部噴射ノズル１１は、扉枠８に設ける構成を例示したが、扉枠８の車両進入方向Ｘの上流側に、扉枠８の上枠部８ａと同様の高さ位置に配置された上部フレームと、扉枠８の左枠部８ｂおよび右枠部８ｃと同様の左右方向位置に配置された左右の側部フレームとを備えて、上部フレームに上部噴射ノズル１０，１０Ｌ，１０Ｒを取り付け、左右の側部フレームに側部噴射ノズル１１を取り付ける構成としてもよい。この場合、上部フレームと、左右の側部フレームは、一体の門型のフレームとしてもよいし、それぞれ別体のものとしてもよい。
【０１０４】
空気１２は、コンプレッサ２０により外気を吸入して加圧した空気を使用すればよいが、たとえば、本実施形態の機械式駐車装置１が、余剰の加圧された空気が生じる施設に併設されている場合などには、その加圧空気の供給源を空気供給部としてもよい。
【０１０５】
各実施形態における供給ライン２１、供給ライン２２，２２ａ，２２ｂ、供給ライン２３，２３ａ，２３ｂに、各噴射ノズル１０，１０Ｌ，１０Ｒ，１１へ供給される空気１２の加熱を行うヒータのような加熱手段を備える構成としてもよい。この構成によれば、各噴射ノズル１０，１０Ｌ，１０Ｒ，１１から加熱された空気１２の噴射が可能になるため、付着物１６が雪の場合に、付着物１６の除去効果を高めることができる。
【０１０６】
また、制御器１５は、天候や気温、季節など情報を取得する機能を備えて、その情報を基に、降雨や降雪あるいは落葉の季節など、車両７に付着物が生じると想定される場合にのみ、車両７の入庫時における付着物除去装置９の各噴射ノズル１０，１０Ｌ，１０Ｒ，１１からの空気１２の噴射を行うようにしてもよい。
【０１０７】
更に、制御器１５は、たとえば、車両７の入庫を行う利用者が操作盤６の操作によって付着物１６の除去を望む場合にのみ、車両７の入庫時における付着物除去装置９の各噴射ノズル１０，１０Ｌ，１０Ｒ，１１からの空気１２の噴射を行うようにしてもよい。また前記した空気１２の加熱手段は、利用者が操作盤６の操作によって希望する場合にのみオンにする処理を行うようにしてもよい。これは、入庫する車両７の形式や形状や状態などによっては、車両７に空気１２を噴き付ける処理が望まれない場合があるためである。
【０１０８】
このように個々の車両７に空気１２の噴射を行わない場合があっても、本発明の機械式駐車装置に入庫する全ての車両についてみれば、車両７に同伴された付着物１６が建屋２内へ進入する量を抑制することができる。
【０１０９】
各図に示した噴射ノズル１０，１０Ｌ，１０Ｒ，１１の形状、および、空気１２が噴射される領域の形状は、例であり、任意の形状、噴射領域の形状の噴射ノズルを採用してもよいことは勿論である。また、図示する便宜上、噴射ノズル１０，１０ｌ，１０Ｒ，１１は露出された状態を示したが、扉枠８に埋め込む構成や、カバーで覆う構成を採用してもよいことは勿論である。
【０１１０】
建屋２内に設けた入庫部３に車両７が進入する入庫口４を備える形式の機械式駐車装置であれば、エレベータ方式、垂直循環方式、平面往復方式、水平循環方式、多層循環方式などの様々な方式の機械式駐車装置に、本発明は適用してよい。
【０１１１】
本発明の機械式駐車装置は、入庫部３と入庫口４が設けられる階は、建屋２の下部に限られるものではなく、建屋２の上下方向の中間部に入庫部３と入庫口４が設けられていてもよい。更に、たとえば、地下式の機械式駐車装置の場合は、地下に構築された建屋の上部に入庫部３と入庫口４が設けられていてもよい。
【０１１２】
その他本発明の要旨を逸脱しない範囲内で種々変更を加え得ることは勿論である。
【符号の説明】
【０１１３】
２  建屋
３  入庫部
４  入庫口
５  扉
８  扉枠
８ａ  上枠部
８ｂ  左枠部
８ｃ  右枠部
９  付着物除去装置
１０，１０Ｌ，１０Ｒ  上部噴射ノズル
１１  側部噴射ノズル
１２  空気
１３  検出手段
１４  空気供給手段
１５  制御器
Ｘ  車両進入方向
【図１】
2018141335.tif 000003
【図２】
2018141335.tif 000004
【図３】
2018141335.tif 000005
【図４】
2018141335.tif 000006
【図５】
2018141335.tif 000007
【図６】
2018141335.tif 000008
【図７】
2018141335.tif 000009